(57)【要約】【課題】本発明は床板パネルの連結具およびそれを用いた床板パネルの連結方法に関し、一般家屋のアウトデッキ、マンション等のベランダ等に敷く簀の子、アスチレック等の屋外遊戯施設、木製の橋に用いる床パネル同志を目地間隔をあけて迅速かつ確実に連結する。【解決手段】一方の隅角部を切欠いて一端に矩形の接合片部２と対角線Ｐ上の他方の隅角部を切欠いて他端に接合片と同様の矩形の被接合片部３を設けた連結プレート１であり、連結プレートの長さが床板パネル４の板幅Ｗ１よりも長く形成され、前記接合片部の少なくとも一側面に、先行する床板パネルの側縁４ａに当接可能になり隣接する後続の床板パネルとの間に目地間隙Ｍを形成するための爪体１１が設けられ、接合片部と被接合片部との中間には床板パネルに止着部品を挿入する第１取付孔が設けられ、被接合片部には第１取付孔の挿入方向Ｎとは相反方向Ｎ′に根太材５に止着部品を挿入する第２取付孔が設けられた床板パネルの連結具およびそれを用いた床板パネルの連結方法である。【選択図】図１
2005171502.tif 000002
【特許請求の範囲】
【請求項１】
金属または合成樹脂可塑物により構成された板状体の一方の隅角部を長手方向に切欠いて本体部の一端に矩形の接合片部を設けると共に、前記板状体の対角線上の他方の隅角部を長手方向に切欠いて本体部の他端に前記接合片と同様の略矩形の被接合片部を設けた連結プレートであって、（イ）前記連結プレートの長さが床板パネルの板幅よりも長く形成され、（ロ）前記連結プレートの前記接合片部の少なくとも一側面に、先行する前記床板パネルの側縁に当接可能になることにより隣接する後続の床板パネルとの間に目地間隙を形成するための爪体が設けられ、（ハ）前記接合片部と前記被接合片部との中間に前記床板パネルに止着部品を挿入する第１取付孔が所望個数設けられ、そして、（ニ）前記被接合片部に前記第１取付孔の挿入方向とは相反方向に前記根太材に止着部品を挿入する第２取付孔が設けられたことを特徴とする床板パネルの連結具。
【請求項２】
前記爪体が、連結プレート本体に一体に起立して、所望個数形成されることを特徴とする請求項１、請求項２に記載の床板パネルの連結具。
【請求項３】
前記接合部および被接合片部は、先行する接合片部と後行する被接合片部とが雄雌に整合することを特徴とした請求項１、請求項２に記載の床板パネルの連結具。
【請求項４】
金属または合成樹脂可塑物により構成され、板状体の一方の隅角部を長手方向に切欠いて本体部の一端に接合片部を設け、前記板状体の対角線上の他方の隅角部を長手方向に切欠いて本体部の他端に被接合片部を設けた連結プレートの一端に設けた接合片部の少なくとも側面に設けた爪体を先行する前記床板パネルの側縁に当接可能になすことにより隣接する後続の床板パネルとの間に目地間隙を形成する工程と、前記接合片部と前記連結プレートの他端に設ける被接合片部との中間に設けた所望複数個の第１取付孔内に止着部品を挿入することにより前記床板パネルに連結プレートを取付ける工程と、前記接合部を先行する他の連結プレート本体に設けた被接合片部に当接して連結プレート相互を接合しながら該被接合片部に設けた第２取付孔内に前記第１取付孔の挿入方向とは相反方向に前記根太材に止着部品を挿入することにより連結プレートを根太材に取付ける工程とを含むことを特徴とした床板パネルの連結方法。
【発明の詳細な説明】
【技術分野】
【０００１】
本発明は、床板パネルの連結具およびそれを用いた床板パネルの連結方法に関し、さらに詳しくは、一般家屋、ログハウスのアウトデッキ、マンションやビルのベランダ、バルコニー等に敷く簀の子、また庭園に設けるパーゴラやアスチレック等の屋外遊戯施設に用いたり、木製の橋に用いる床板パネル同志を目地間隔を迅速かつ確実に連結するために最適に使用される連結具およびそれを用いた床板パネルの連結方法に関する。
【背景技術】
【０００２】
従来、一般家屋等に設置されるアウトデッキやマンション、ビルのベランダ、バルコニーに用いる簀の子等は、平行に配置される多数の例えば木製の根太材の上面に、木製の多数の床板パネルを、止着部品としてのビスを上方から螺入したり、または釘を上方から打設する等して取付けるという方法が古くから知られている。この時、床板パネル相互の側縁間には雨水、ごみ等を下方に排出したり、通気性をはかる観点から所定幅の目地間隔が形成されるように床板パネルは根太材の上面に取付けられる。
【０００３】
また、根太材に床板パネルを取付ける他の従来方法として、床板パネル相互間に形成される目地間隔内に介装され、隣接の床板パネルの対向する壁面に係止する係止部を左右の両側面に突設したスペーサを介して床板パネル同志を連結するとともにこの根太材の上面に接触する取付板部を有するスペーサを利用してねじを螺入することにより根太材の上面に床板パネルを取付けるようにしたデッキがあった。
【特許文献１】特開２００２−１４６９０１号公報
【発明の開示】
【発明が解決しようとする課題】
【０００４】
しかしながら木製の床板パネルの上方から止着部品としてのビスを螺入したり、釘を打設することにより床板パネルを根太材に取付けるという上記従来の方法は、ビスを螺入したり、釘を打設するために、床板パネルのビス孔等の周囲に通常座掘り穴を加工してからビスを螺入したり、釘を打設するので、床板パネルの取付後にビスや釘の頭が露出する。
【０００５】
また、座掘り穴には雨や潅水を行った際の水が溜まり易く、床板パネルおよび根太材の腐食の原因になっていた。しかも、根太材に対して多数の床板パネルを取付けるために、ビス孔や座掘り穴を所定位置に位置決めして整然と加工するのは未熟練者では難しく、ビスや釘が不揃いに外部に露出し、整然とはせずに外観的に見苦しい。しかも、風雨に晒され、日照により木製の床板パネルや根太材に、そり、歪み、痩せを生ずる等した場合には釘等が浮き上がりを生ずるため、不慮に怪我を生ずるという不都合を生ずることがあった。
【０００６】
さらには、平行に配列される複数本の根太材に対して多数の床板パネルを交叉して整然と取付けるためには、根太材と床板パネル相互および床板パネル相互の位置決めを行うのに多くの時間と手間を必要とし、作業効率が悪いとともに床板パネル相互間に生ずる目地間隔も不揃いになり、所定幅に確保するのも難しいかった。
【０００７】
また、特許文献１に記載の上記従来のアウトデッキにおける床板パネルでは床板パネル相互間に形成される目地間隙をスペーサにより塞いでしまうため、雨水、ごみ等をスムーズに下方に排出したり、通気性をはかることができないばかりでなく、根太材に対する床板パネルの取付強度が弱く、浮き上がりやガタツキを生ずるという不都合がある。
【０００８】
本発明は上記従来の問題を解決し、床板パネルに座掘り穴等の何らの加工を要することなく未熟練者でも迅速かつ確実に、しかも取付強度が高く、また浮き上がりを生ずることなく根太材に対して床板パネルを構造堅牢に取付が行えるとともに床板パネル相互間に生ずる目地間隙を所定幅に容易かつ確実に確保して整然と取付が行えるようにして、生産効率の向上がはかれ、またビスや釘が外部に露出されることなく取付を行えて不慮の怪我を生ずるのを未然に防止し、さらには構造簡単にして取扱い易く、製作コストも安価な床板パネルの連結具およびそれを用いた床板パネルの連結方法を提供することを目的としようとするものである。
【課題を解決するための手段】
【０００９】
本発明は上記課題に鑑みなされたものであり、請求項１に記載の発明は、金属または合成樹脂可塑物により構成された板状体の一方の隅角部を長手方向に切欠いて本体部の一端に矩形の接合片部を設けると共に、前記板状体の対角線上の他方の隅角部を長手方向に切欠いて本体部の他端に前記接合片部同様の矩形の被接合片部を設けた連結プレートであって、（イ）前記連結プレートの長さが床板パネルの板幅よりも長く形成され、（ロ）前記連結プレートの前記接合片部の少なくとも一側面に、先行する前記床板パネルの側縁に当接可能になることにより隣接する後続の床板パネルとの間に目地間隙を形成するための爪体が設けられ、（ハ）前記接合片部と前記被接合片部との中間には前記床板パネルに止着部品を挿入する第１取付孔が所望複数個設けられ、（ニ）前記被接合片部に前記第１取付孔の挿入方向とは相反方向に前記根太材に止着部品を挿入する第２取付孔が設けられたことを特徴とするという手段を採用した。
【００１０】
また、本発明の請求項２に記載の発明は、請求項１において、前記爪体が、連結プレート本体に一体に起立して、所望個数形成されることを特徴とするという手段を採用した。
【００１１】
また、本発明の請求項３に記載の発明は、請求項１または請求項２において、前記接合片部および被接合片部は、先行する接合片部と後行する被接合片部とが雄雌に整合されることを特徴としたという手段を採用した。
【００１２】
また、本発明の請求項４に記載の発明は、金属または合成樹脂可塑物により構成され、板状体の一方の隅角部を長手方向に切欠いて本体部の一端に接合片部を設け、前記板状体の対角線上の他方の隅角部を長手方向に切欠いて本体部の他端に被接合片部を設けた連結プレートの一端に設けた接合片部の少なくとも側面に設けた爪体を先行する前記床板パネルの側縁に当接可能になすことにより隣接する後続の床板パネルとの間に目地間隙を形成する工程と、前記接合片部と前記連結プレートの他端に設ける被接合片部との中間に設けた所望複数個の第１取付孔内に止着部品を挿入することにより前記床板パネルに連結プレートを取付ける工程と、前記接合部を先行する他の連結プレート本体に設けた被接合片部に当接して連結プレート相互を接合しながら該被接合片部に設けた第２取付孔内に前記第１取付孔の挿入方向とは相反方向に前記根太材に止着部品を挿入することにより連結プレートを根太材に取付ける工程とを含むことを特徴としたという手段を採用した。
【発明の効果】
【００１３】
本発明の床板パネルの連結具およびそれを用いた床板パネルの連結方法は、床板パネルに座掘り穴等の何らの加工を要することなく未熟練者でも迅速かつ確実にしかも取付強度が高く、また浮き上がりを生ずることなく根太材に対して床板パネルを構造堅牢に取付が行えるとともに床板パネル相互間に生ずる目地間隙を所定幅に容易かつ確実に確保して整然と取付が行えるようにして、生産効率の向上がはかれ、またビスや釘等の止着部品が外部に露出されることなく取付を行って不慮の怪我を生ずるのを未然に防止し、さらには構造簡単にして取扱い易く、製作コストも安価になる。
【発明を実施するための最良の形態】
【００１４】
以下図面に従い、本発明を実施するための最良の形態につき詳細を説明する。
【００１５】
図１は本発明の床板パネルの連結具を実施する場合の実施形態１を示す分解斜視図、図２は同じく平面図、図３は同じく拡大断面図、図４は同じく裏面図、図５は本実施形態１で使用する連結プレートの一例を示す斜視図、図６は同じく背面図、図７は同じく連結プレートの打抜時の平面図である。
【００１６】
本発明の実施形態１は、金属または合成樹脂可塑物により構成された板状体の一方の隅角部を長手方向に切欠いて本体部の一端に矩形の接合片部を設けると共に、前記板状体の対角線上の他方の隅角部を長手方向に切欠いて本体部の他端に前記接合片部同様の矩形の被接合片部を設けた連結プレートであって、（イ）前記連結プレートの長さが床板パネルの板幅よりも長く形成され、（ロ）前記連結プレートの前記接合片部の少なくとも一側面に、先行する前記床板パネルの側縁に当接可能になることにより隣接する後続の床板パネルとの間に目地間隙を形成するための爪体が設けられ、（ハ）前記接合片部と前記被接合片部との中間には前記床板パネルに止着部品を挿入する第１取付孔が所望複数個設けられ、（ニ）前記被接合片部に前記第１取付孔の挿入方向とは相反方向に前記根太材に止着部品を挿入する第２取付孔が設けられたことを特徴とする。
【００１７】
以下、本実施形態１を詳細に説明すると、１は金属または合成樹脂可塑物により構成される連結プレートであり、この連結プレート１は、板状体の一方の隅角部を長手方向Ｉに切欠いて本体部１Ａの一端に接合片部２を設け、前記板状体の対角線Ｐ上の他方の隅角部を長手方向Ｉに切欠いて本体部１Ａの他端に被接合片部３を設けている。また、連結プレート１は、床板パネル４,４,４・・・の板幅Ｗ１よりも長さＬが長く形成され、且つその幅Ｗは前記床板パネル４,４,４・・・の下面に交叉して平行に配置される複数本の根太材５,５・・・と略同幅であるかまたは僅かに幅狭に形成される。
【００１８】
また、連結プレート１は、長手方向Ｉの一端に前記根太材５の上面に交叉して平行配置される先行する床板パネル４の下面に根太材５との間に差込可能になる。
【００１９】
しかも、連結プレート１の他端は、前記根太材５の上面に交叉して平行配置される後行する床板パネル４の下面に差込可能になる。そして、連結プレート１には、前記接合片部２と前記被接合片部３との中間に前記床板パネル４に止着部品としてのビス６を螺入するための第１取付孔としての第１ビス孔７が所望複数個、図では２個が設けられ、前記被接合片部３には前記根太材５にビス６を螺入するための第２取付孔としての第２ビス孔８が図では１個が設けられている（図１，図２,図３,図４参照）。
【００２０】
そして、前記接合片部２は、連結プレート１の一端を前述のように所望幅Ｗ２、長手方向Ｉへ所望長さＬ１に切除部９が切除され、対応する他の連結プレート１の切除部１０が整合する雄状に形成される。また、被接合片部３は、連結プレート１の他端を所望幅Ｗ３、長手方向Ｉへ所望長さＬ２に切除し、対応する他の連結プレート１の接合片部２が整合する前記他の切除部１０により雌状に形成される。
【００２１】
また、前記接合片部２の切除部９の幅Ｗ２および長さＬ１の増減変更は、自由に設定される。同様に、被接合片部３の切除部１０の幅Ｗ３および長さＬ２は自由に設定される。
【００２２】
１１は前記接合片部２の少なくとも一側に近接して設けられた爪体であり、この爪体１１は先行する前記床板パネル４の側縁４ａに当接することにより隣接する後続の床板パネル４との間に目地間隔Ｍを形成するためのものである。また、この爪体１１は、その設置幅ｓが隣接する後続の床板パネル４との間に形成される目地間隔Ｍに合わせて増減調整される。また爪体１１の高さｈは使用する床板パネル４の厚さＨ等を考慮して床板パネル４の側縁４ａに深く挿入されることにより迅速かつ確実に目地間隔Ｍを形成するのに充分なものが選定される。
【００２３】
また、前記爪体１１は、連結プレート本体１に一体に起立して所望個数が形成されるが、図１，図２,図３,図４では１個が形成される。このように、爪体１１を、連結プレート１に一体に起立して形成するようにしたことにより、部品点数を削減し、製作および組付を簡素化した。
【００２４】
本発明の床板パネルの連結具の実施形態１は以上の構成からなり、以下作用を床板パネル４,４,４・・・を連結する施工例とともに工程順に説明する。
【００２５】
先ず、第１工程として、切断する等した所定長さの床板パネル４の左右の端部から計測することにより連結プレート１の取付個所に墨付けを行う等して目印Ａを付す。
【００２６】
次いで、第２工程として、床板パネル４に付した目印Ａ個所に取付けるべき連結プレート１を合わせ、この連結プレート１の一端に形成する接合片部２に近接して設けた爪体１１を床板パネル４の側縁４ａに当接することにより連結プレート１の取付位置の位置決めを迅速かつ確実に行うことができる。この時、連結プレート１は長さＬが床板パネル４,４,４・・・の板幅Ｗ１よりも長く形成されているので、連結プレート１の一端に設けた接合片部２は床板パネル４から突出され、連結プレート１の他端に設けた被接合片部３を床板パネル４から突出される。
【００２７】
その後、第３工程として、前工程のように床板パネル４に対する連結プレート１の取付位置が位置決めされて決定されれば、連結プレート１の前記接合片部２と前記被接合片部３との中間に所望複数個が設けられた第１取付孔としての第１ビス孔７内に止着部品としてのビス６が螺入されることにより前記床板パネル４に連結プレート１を取付けることができる。この時、ビス６を第１ビス孔７内に螺入するには、ドライバーによる手動操作により行ってもよいし、またはインパクトレンチを用いて自動的に行えば便利である。
【００２８】
それから、第４工程として、連結プレート１の他端の被接合片部３に設けた第２取付孔としての第２ビス孔８内に止着部品としてのビス６を前工程により前記第１ビス孔７の挿入方向Ｎとは相反方向Ｎ′に前記根太材５に螺入することにより前記工程により床板パネル４が取付けられた連結プレート１を根太材５に床板パネル４に交叉するように取付ける。
【００２９】
そして、以下の第５工程から第８工程において前述の第１工程から第４工程までを順次、繰り返して行うことにより所望複数個の連結プレート１を用いて平行に複数本が配置される根太材５,５・・・に交叉して床板パネル４,４,４・・・を目地間隔Ｍを介して迅速かつ確実に取付けるものである。
【００３０】
すなわち、第５工程では、前記第１工程と同様に、所定長さを有する後続の床板パネル４の左右の端部から計測することにより後続の他の連結プレート１への取付個所に墨付けを行う等して目印Ａを付す。
【００３１】
次いで、第６工程として、前記第２工程と同様に床板パネル４に付した目印Ａ個所に後続の第２番目となる連結プレート１を合わせる。しかも、この連結プレート１の一端に形成する接合片部３に近接して設けた爪体１１を床板パネル４の側縁４ａに当接することにより２番目の連結プレート１の取付位置の位置決めを迅速かつ確実に行える。
【００３２】
この時、２番目の連結プレート１の一端に設けた接合片部２は、床板パネル４から突出され、連結プレート１の他端に設けた被接合片部３は床板パネル４から突出されるようにする。
【００３３】
その後、第７工程として、第３工程と同様に後続の第２番目の連結プレート１の前記接合片部２と前記被接合片部３との中間に所望複数個が設けられた第１取付孔としての第１ビス孔７内に第１止着部品としてのビス６を（挿入方向Ｎにて）螺入して後続の第２番目の前記床板パネル４に連結プレート１を取付ける。
【００３４】
それから、第８工程として、第４工程と同様に後続の第２番目の連結プレート１の他端の被接合片部３に設けた第２取付孔としての第２ビス孔８内に止着部品としてのビス６を前工程にて第１ビス孔７内に挿入方向Ｎにて螺入されるビス６とは相反方向Ｎ′から螺入することにより前記第７工程により後続の第２番目の床板パネル４が取付けられた連結プレート１を根太材５に後続の床板パネル４に交叉して取付けるとともに先行する第１番目の床板パネル４と後行する第２番目の床板パネル４との相互間に目地間隔Ｍを介して連続して連結する。
【００３５】
この際、先行する連結プレート１の他端の被接合片部３に設けた雌状の切除部１０内に後続する連結プレート１の一端に設けた雄状の接合片部２を係入することにより連結プレート本体１,１相互を一直線にかつ構造堅牢に接合する。
【００３６】
しかも、後続の連結プレート１の接合片部２に近接して設けた爪体１１を先行する第１番目の床板パネル４の側縁４ａに当接することにより先行する床板パネル４と隣接する後続の第２番目の床板パネル４との相互間に爪体１１の設置幅ｓに相当する目地間隔Ｍを迅速かつ確実に確保することができる。
【００３７】
このような前記第５工程から第８工程までの工程、手順を以下繰り返して行うことにより、所望個数の連結プレート１,１・・・を用いて床板パネル４,４,４・・・を、先行する床板パネル４と後行する隣接の床板パネル４との相互間に所定幅の目地間隔Ｍ,Ｍ・・・を形成して連結することができる。
【００３８】
こうして、本実施形態１の床板パネルの連結方法によれば、従来方法のように、ビスを螺入するための座掘り穴等の何らの加工を床板パネル４,４,４・・・に要することなく未熟練者でも迅速かつ確実に連結を行うことができるので、生産効率は向上し、製作コストは安価になる。しかも、引張、圧縮、捻れ等の高い取付強度にて床板パネル４,４,４・・・の連結を行うことができる。また、連結プレート１に設けた第１ビス孔７内にビス６を床板パネル４の裏面から挿入方向Ｎにて螺入することにより床板パネル４,４,４・・・の裏面に連結プレート１,１,１・・・を取付けるとともに第１ビス孔７内に螺入されるビス６の挿入方向Ｎとは相反方向Ｎ′の連結プレート１の表面側から第２ビス孔８内にビス６を螺入することにより根太材５に連結プレート１を固定するが、これらの第１ビス孔７のビス６と、第２ビス孔８のビス６とは外部に露出されることなく取付が行われ、何れも連結される床板パネル４,４,４・・・により隠されるので、床板パネル４,４,４・・・の浮き上がりを生ずることなく根太材５に対して床板パネル４,４,４・・・を構造堅牢に取付が行える。従って、整然とした床板パネル４,４,４・・・の取付が行えるとともに不慮の怪我を生ずるのを未然に防止することができる。
【００３９】
また、連結プレート１に設けた爪体１１に床板パネル４の側縁４ａを当接することにより床板パネル４,４,４・・・相互間に生ずる目地間隔Ｍを爪体１１の設置幅ｓに応じて所定幅に容易かつ確実に確保することができるので、床板パネル相互間に形成される目地間隔にスペーサを介装して連結を行う特許文献１に記載の上記従来のアウトデッキとは異なり、雨水、ごみ等を床板パネル４,４,４・・・相互間に形成される目地間隔Ｍを通じてスムーズに床板パネル４,４,４・・・の下方に排出したり、通風を良好にして通気性をはかることができる。
【００４０】
なお、図示する上記実施形態１では、床板パネル４,４,４・・・に連結プレート１,１,１・・・を取付けたり、この連結プレート１,１,１・・・を根太材５に取付けるために、止着部品としてビス６を用いて取付孔として第１ビス孔７、および第２ビス孔８を用いて行うようにしているが、止着部品としてはビス６に限ることなく例えば釘、リベット等を用いるとともに取付孔もビス孔に限らず単なる通孔を用いる場合も本発明の適用範囲である。また、床板パネル４および根太材５は木製に限らず、合成樹脂であってもよい。
【００４１】
また、図示する本実施形態１では、例えば図１，図２,図３,図４に示すように接合片部２が連結プレート１の先端側の一端に形成され、しかも被接合片部３が連結プレート１の後端側の他端に形成されているが、これは例示であり、これに限ることなく、被接合片部３が連結プレート１の先端側の一端に形成され、被接合片部３が連結プレート１の後端側の他端に形成される場合にも本発明の適用範囲である。また、接合片部２の切除部９の幅Ｗ２、長さＬ１、また被接合片部３の切除部９の幅Ｗ３、長さＬ２の増減変更は自由に行える。
【００４２】
また、本発明は、例えば一般家屋、ログハウスのアウトデッキに限らず、マンションやビルのベランダ、バルコニー等に敷く簀の子、また庭園に設けるパーゴラやアスチレック等の屋外遊戯施設に用いたり、さらには木製の橋に用いる床パネル同志等の連結を目地間隔を介して迅速かつ確実に連結する場合に、容易に適用することができる。
【産業上の利用可能性】
【００４３】
本発明は、床板パネルに座掘り穴等の何らの加工を要することなく未熟練者でも迅速かつ確実に、しかも取付強度が高く、また浮き上がりを生ずることなく根太材に対して床板パネルを構造堅牢に取付が行えるとともに床板パネル相互間に生ずる目地間隔を所定幅に容易かつ確実に確保して整然と取付が行えるようにして、生産効率の向上がはかれ、またビスや釘等の止着部品が外部に露出されることなく取付を行って不慮の怪我を生ずるのを未然に防止し、さらには構造簡単にして取扱い易く、製作コストも安価な分野、用途に使用するのに適する。
【図面の簡単な説明】
【００４４】
【図１】図１は本発明の床板パネルの連結具を実施した場合の実施形態１を示す分解斜視図である。
【図２】図２は同じく平面図である。
【図３】図３は同じく拡大断面図である。
【図４】図４は同じく裏面図である。
【図５】図５は本実施形態１で使用する連結プレートの一例を示す斜視図である。
【図６】図６は同じく背面図である。
【図７】図７は同じく連結プレートの打抜時の平面図である。
【符号の説明】
【００４５】
１    連結プレート
２    接合片部
３    被接合片部
４    床板パネル
５    根太材
６    ビス
７    第１ビス孔
８    第２ビス孔
９    切除部
１０  切除部  
１１  爪体
Ｉ    長手方向
Ｌ    長さ
Ｌ１  長さ
Ｌ２  長さ
Ｐ    対角線
Ｎ    挿入方向
Ｎ′  相反方向
Ｗ    幅
Ｗ１  板幅
Ｗ２   幅
Ｗ３   幅
【図１】
2005171502.tif 000003
【図２】
2005171502.tif 000004
【図３】
2005171502.tif 000005
【図４】
2005171502.tif 000006
【図５】
2005171502.tif 000007
【図６】
2005171502.tif 000008
【図７】
2005171502.tif 000009